(57)【要約】【課題】  オフセット媒体上に印刷される画像の品質を改善するために、オフセット印刷に使用するためのインクジェット印刷システムを製造することが望ましい。耐久性並びに印刷品質の改善をもたらすことに加えて、特に、パドリング、濁り、及びにじみ特性の改善された定着液及びインクを製造することが望ましい。【解決手段】  本発明によれば、オフセット印刷に使用するためのインクジェット印刷システムは、定着液及びインクからなる。前記定着液は、定着剤ポリマーと、フルオロ界面活性剤及び炭化水素界面活性剤を含有する第一フルオロ界面活性剤パッケージとからなる。前記インクは、荷電染料と、第二フルオロ界面活性剤パッケージとからなる。前記定着液を前記インクと共に使用することで、オフセット印刷において、パドリング、濁り、及びにじみ特性が改善される。【選択図】なし 【特許請求の範囲】
【請求項１】
陽イオン性定着剤ポリマーと、陽イオン性あるいは非イオン性のフルオロポリマーであるフルオロ界面活性剤及び陽イオン性あるいは非イオン性である炭化水素界面活性剤を含む第一フルオロ界面活性剤パッケージとからなる定着液と、
陰イオン性染料と、陰イオン性フルオロ界面活性剤及び少なくとも１つの陰イオン性あるいは非イオン性の炭化水素界面活性剤を含む第二フルオロ界面活性剤パッケージとからなるインクと、
を包含するオフセット印刷に使用されるインクジェット印刷システム。
【請求項２】
陽イオン性定着剤ポリマーと、陽イオン性あるいは非イオン性のフルオロ界面活性剤及び陽イオン性あるいは非イオン性の炭化水素界面活性剤を含む第一フルオロ界面活性剤パッケージとからなる定着液を設けるステップと、
陰イオン性染料と、陰イオン性フルオロ界面活性剤及び少なくとも１つの陰イオン性あるいは非イオン性の炭化水素界面活性剤を含む第二フルオロ界面活性剤パッケージとからなるインクを設けるステップと、
前記インク及び前記定着液をオフセット媒体上に付着させるステップと、
からなるオフセット印刷における印刷品質を向上させる方法。
【請求項３】
前記陽イオン性定着剤ポリマーが、ポリエチレンイミン、ヘキサメチレングアニドとヘキサメチレンビグアニドのコポリマー、及びポリ（ヘキサメチレンビグアニド）から成る群から選択されている請求項１及び２に記載のインクジェット印刷システム及び方法。
【請求項４】
前記第一フルオロ界面活性剤パッケージの前記フルオロ界面活性剤が、
ＲｆＣＨ２ＣＨ２Ｏ（ＣＨ２ＣＨ２Ｏ）ｘＨ（ここで、ＲｆはＦ（ＣＦ２ＣＦ２）ｙ、ｘは０〜約２５、及びｙは１〜約９）、
ＲｆＣＨ２ＣＨ２Ｏ（ＣＨ２ＣＨ２Ｏ）ｘＨ（ここで、ＲｆはＦ（ＣＦ２ＣＦ２）ｙ、ｘは０〜約１５、及びｙは１〜約７）、
及びＦ（ＣＦ２ＣＦ２）１−７−アルキル−Ｎ＋Ｒ３Ｃｌ−、
から成る群から選択されている請求項１〜３に記載のインクジェット印刷システム及び方法。
【請求項５】
前記第一フルオロ界面活性剤パッケージの前記炭化水素界面活性剤が、プロピレンオキシド、エチレンオキシド、及びエチレンジアミンの四官能性ブロックコポリマー、アルキルポリエチレンオキシド、ポリエトキシ化アルコール、ポリエトキシ化エステル、アセチレン系ポリエチレンオキシド、アルキルフェニルポリエチレンオキシドからなる群から選択されている請求項１〜４に記載のインクジェット印刷システム及び方法。
【請求項６】
前記陽イオン性定着剤ポリマーがポリ（ヘキサメチレンビグアニド）であり、前記第一フルオロ界面活性剤パッケージの前記フルオロ界面活性剤が化学構造ＲｆＣＨ２ＣＨ２Ｏ（ＣＨ２ＣＨ２Ｏ）ｘＨ（ここで、ＲｆはＦ（ＣＦ２ＣＦ２）ｙ、ｘは０〜約２５、及びｙは１〜約９）を有しており、及び前記第一フルオロ界面活性剤パッケージの前記炭化水素界面活性剤がポリオキシエチレンラウリルエーテルである請求項１〜５に記載のインクジェット印刷システム及び方法。
【請求項７】
前記第二フルオロ界面活性剤パッケージの前記陰イオン性フルオロ界面活性剤が、化学構造ＲｆＣＨ２ＣＨ２ＳＣＨ２ＣＨ２ＣＯＯ−Ｌｉ＋（ここで、ＲｆはＣＦ３ＣＦ２（ＣＦ２ＣＦ２）ｘ、ｘは２〜４）を有している請求項１〜６に記載のインクジェット印刷システム及び方法。
【請求項８】
前記第二フルオロ界面活性剤パッケージの前記少なくとも１つの炭化水素界面活性剤が、プロピレンオキシド、エチレンオキシド、及びエチレンジアミンの四官能性ブロックコポリマー、オクタノール、キシレンスルホン酸ナトリウム、アルキルポリエチレンオキシド、ポリエトキシ化アルコール、ポリエトキシ化エステル、アセチレン系ポリエチレンオキシド、アルキルフェニルポリエチレンオキシド、アルキル化ジフェニルオキシドジスルホン酸塩、スルホコハク酸塩、及び高純度、高直線性の第一アルコール類から成る群から選択されている請求項１〜７に記載のインクジェット印刷システム及び方法。
【請求項９】
前記第二フルオロ界面活性剤パッケージの前記フルオロ界面活性剤が、化学構造ＲｆＣＨ２ＣＨ２ＳＣＨ２ＣＨ２ＣＯＯ−Ｌｉ＋（ここで、ＲｆはＣＦ３ＣＦ２（ＣＦ２ＣＦ２）ｘ、ｘは２〜４）を有しており、前記第二フルオロ界面活性剤パッケージの前記少なくとも１つの炭化水素界面活性剤が、ジオクチルスルホコハク酸ナトリウムとオクトキシノール−５の混合物である請求項１〜８に記載のインクジェット印刷システム及び方法。
【請求項１０】
ポリ（ヘキサメチレンビグアニド）、又はヘキサメチレングアニドとヘキサメチレンビグアニドのコポリマーからなる陽イオン性定着剤ポリマーと、
陽イオン性あるいは非イオン性のフルオロポリマーであるフルオロ界面活性剤及び陽イオン性あるいは非イオン性である少なくとも１つの炭化水素界面活性剤からなる第一フルオロ界面活性剤パッケージと、
を包含するオフセット印刷に使用される定着液。
【発明の詳細な説明】
【技術分野】
【０００１】
本発明は、インクジェット印刷システムに関し、より詳細には、オフセット印刷に使用される定着液及びインクに関する。
【背景技術】
【０００２】
オフイス及び家庭におけるインクジェットプリンタの利用は、近年、劇的に伸びている。この成長は、インクジェットプリンタのコストの徹底的な削減及び印刷画像における印刷分解能及び総合的な印刷品質の著しい向上によるものと考えられる。家庭及びオフイス用途での成功に伴い、インクジェット印刷は、現在、パンフレット、雑誌、あるいはカタログのような商業印刷用途に適用されつつある。最近、商業印刷は、輪転グラビア印刷、スクリーン印刷、凸版印刷、又はフレキソ印刷のような、様々な技術によって行われている。しかしながら、これらの印刷技術は、プレートのような個別の型板を要するため、時間がかかり非効率的である。それ故、アイテムを商業的に印刷するのは、一般的に、１０００アイテム以上を必要とするときのような、大量が要求されるときにのみ経済的である。商業印刷では、典型的に普通紙上に印刷が行われるインクジェット印刷とは異なった印刷媒体が使用される。対照的に、商業印刷では、光沢のある滑らかな印刷媒体が使用される。
【０００３】
商用印刷媒体は、媒体表面上に非多孔質コーティングを有するため、滑らかで光沢がある。前記非多孔質コーティングは、疎水性高分子のような、疎水性物質である。該コーティングが疎水性であるので、商業印刷に使用されるインクは、典型的に油性である。対照的に、インクジェット印刷に使用される大部分のインクは、水性である。水性インクジェットインクは非多孔質コーティング中へ浸透しないため、これらのインクジェットインクは、一般的に、現存の商用印刷媒体には適合しない。それ故、インクジェット印刷を使用して商業的な量を印刷するために、商用印刷媒体上に使用するための改良インクジェットインクが開発されてきた。しかしながら、これらのインクジェットインクで印刷された画像は、分解能、耐久性、及び印刷品質が劣っている。
【０００４】
開示されている水性インクジェットインクは、インク着色剤と、疎水性／親水性バランス値（「ＨＬＢ」）が４〜１４である少なくとも１つの非イオン性界面活性剤とを含有する。当該インクに使用される非イオン性界面活性剤には、ＴＲＩＴＯＮ（登録商標）、ＳＩＬＷＥＴ（登録商標）、ＳＵＲＦＹＮＯＬ（登録商標）、ＴＥＲＧＩＴＯＬ（登録商標）、ＢＲＩＪ（登録商標）、ＦＬＵＯＲＡＤ（登録商標）、及びＺＯＮＹＬ（登録商標）化合物が挙げられる。
【０００５】
疎水性媒体と水性インクとの間の適合問題を解決するために、特殊印刷媒体も開発されている。しかしながら、これらの特殊印刷媒体は、一般的に、普通紙又は現存の商用印刷媒体よりも高価である。
【０００６】
他の印刷技術におけるコストの限界並びに効率の限界のため、インクジェットプリンタを使用する商業印刷の分野は、急速に発展している。用語「オフセット印刷」又は「オフセット市場」は、ここでは、ディジタル印刷のような、インクジェット印刷を使用する商業印刷を指すのに用いられる。オフセット印刷は、パンフレット、雑誌、あるいはカタログのような、商業的な量の印刷物を印刷するのに商業的に使用される。オフセット印刷に使用される印刷媒体（本明細書ではオフセット媒体と呼ぶ）は、普通紙と比較して非多孔質である。オフセット媒体は、その最表面にコーティングを有しており、これが、滑らかさ、より良い不透明度、及びインク浸透耐性をもたらす。
【０００７】
オフセット印刷で印刷される大量のアイテムは、高速の印刷工程を必要とする。頻繁なサービスを要しない信頼性の高いプリンタペンも又、それらが印刷工程の総合的速度に寄与するという理由から必要である。プリンタペンの信頼性を向上させ且つ印刷工程の速度を向上させるには、オフセット印刷に使用されるインクジェットインクは、オリフィスプレートのような、印刷ヘッドの表面上でパドリング（プリントヘッドのオリフィスプレート上におけるインク溜まりの形成）してはならない。パドリングは、インクの粘度に関係があり、低粘度のインクは、オリフィスプレート上にパドリングしやすく、オリフィスプレート上における無方向性の液滴、インクの累積、及びサービスの困難さの原因となる。パドリングを低減するために、インク粘度を高める解決法が提案されている。例えば、高分子量の界面活性剤、ポリマー、あるいはオリゴマーをインクに添加する方法が提案されている。しかしながら、これらの添加物は、典型的に、例えば耐水性及び汚れ耐性のような印刷品質及び耐久性に悪影響を及ぼす。
【０００８】
印刷品質及び耐久性を改善するために、幾つかの印刷技術では、定着液とインクを利用する２部印刷システムを用いている。協働して、定着液とインクが、印刷画像の耐久性及び画像品質を改善する。定着液及びインクは、下刷りあるいは上刷りのいずれかによって、印刷媒体上に付着する。下刷りでは、所望の画像がインクで印刷される以前に定着液を印刷媒体上に付着させる。上刷りでは、インクの上に定着液を付着させる。定着液及びインクが両方とも印刷媒体上に存在するとき、インク中の荷電染料が定着液中の反対に荷電している定着液と結合し、それによって、染料を印刷媒体に固定化する。例えば、インク中の陰イオン性染料は、定着液中の陽イオン性定着剤ポリマーと結合する。陽イオン性定着剤ポリマーは、陰イオン性染料に対する大きな多価対イオンとして作用し、それによって、染料の溶解度と移動度が低下する。逆に、インク中の陽イオン性染料は、定着液中の陰イオン性定着剤ポリマーと結合する。
【０００９】
インクジェット印刷において定着液とインクを使用することは、比較的新しい考え方である。インク及び定着液を利用するインクジェットインク印刷システムは既に開示されている。該インクは、水溶性染料、ベシクル形成界面活性剤、高分子バインダ、及び、任意に、染料−ベシクル−バインダ系に適合し得る分散剤を含有する。拡散剤は、フルオロカーボンあるいはシリコン拡散剤、又は炭化水素の界面活性剤である。定着液は、インク中のベシクルの電荷と反対の電荷を有するポリマー、及び、任意に拡散剤を含有する。拡散剤は、非イオン性界面活性剤であり、炭化水素界面活性剤及びフッ素化界面活性剤の混合物を含有する。このインクジェットインク印刷システムを使用することで、彩度、色間にじみ、及びエッジ先鋭度の改善が達成される。
【００１０】
耐水性を改善する別のインクジェット印刷工程が開示されている。該工程は、定着組成物とインクを、被覆されたオフセット印刷用紙のような、基材へ適用するステップを包含する。定着組成物は、ポリモノグアニド（「ＰＭＧ」）あるいはポリヘキサメチレンビグアニド（「ＰＨＭＢ」）を含有する。耐水性は、ＰＨＭＢ含有の定着組成物に比べ定着組成物にＰＭＧを利用している印刷工程で改善された。ＰＭＧは又、国際特許出願ＷＯ／０２４５９７０号に開示されているように、記録材料用のコーティング組成物においても使用されている。
【００１１】
ＰＨＭＢを使用する別のインクジェット印刷方法も開示されている。該方法においては、インクジェット印刷前、印刷中、あるいは印刷後に、基材をＰＨＭＢ含有溶液で処理して印刷画像の耐水性を改善する。ＰＨＭＢ含有溶液は、ディップコーティング、リバースローラコーティング、Ｋバーコーティング、噴霧、あるいはインクジェットプリンタの利用によって、基材上に適用された。ＰＨＭＢ含有溶液は、架橋剤、界面活性剤、あるいは乾燥時間加速剤のような、任意成分を含有していた。
【００１２】
ＰＨＭＢは又、秘密情報を基材へ定着させるのにも使われている。秘密情報は、後で、その基材を処理するか又は洗浄することにより検出できる。
【発明の開示】
【発明が解決しようとする課題】
【００１３】
オフセット媒体上に印刷される画像の品質を改善するために、オフセット印刷に使用するためのインクジェット印刷システムを製造することが望ましい。耐久性並びに印刷品質の改善をもたらすことに加えて、特に、パドリング特性、濁り特性、及びにじみ特性の改善された定着液及びインクを製造することが望ましい。
【課題を解決するための手段】
【００１４】
本発明は、オフセット印刷に使用されるインクジェット印刷システムに関連する。該インクジェット印刷システムは、定着液及びインクジェットインクからなる。定着液は、定着剤ポリマー及び第一フルオロ界面活性剤パッケージからなる。好ましくは、第一フルオロ界面活性剤パッケージは、フルオロ界面活性剤及び炭化水素界面活性剤を包含する。インクは、荷電染料及び第二フルオロ界面活性剤パッケージからなる。好ましくは、第二フルオロ界面活性剤パッケージは、フルオロ界面活性剤及び１つあるいは２つの炭化水素界面活性剤を包含する。
【００１５】
オフセット印刷における印刷品質を改善する方法も開示する。該方法は、定着剤ポリマー及び第一フルオロ界面活性剤パッケージからなる定着液を設けるステップと、荷電染料及び第二フルオロ界面活性剤パッケージからなるインクを設けるステップとを包含する。第一フルオロ界面活性剤パッケージは、フルオロ界面活性剤及び炭化水素界面活性剤からなり、一方、第二フルオロ界面活性剤パッケージは、フルオロ界面活性剤及び２つの炭化水素界面活性剤からなる。該インク及び定着液を、オフセット媒体上に付着させる。
【発明の効果】
【００１６】
本発明により、パドリング特性、濁り特性、及びにじみ特性の改善された定着液及びインクからなるオフセット印刷に使用するためのインクジェット印刷システムを提供することができる。
【発明を実施するための最良の形態】
【００１７】
オフセット印刷に使用するための、定着液及びインクを包含するインクジェット印刷システムを開示する。定着液をインクと共に用いることで、オフセット媒体において耐久性並びに印刷品質の改善を達成する。定着液は、定着剤ポリマー、並びに、本明細書では第一フルオロ界面活性剤パッケージと呼ぶ、少なくとも１つの界面活性剤を含む。好ましくは、第一フルオロ界面活性剤パッケージは、２つ以上の界面活性剤、即ちフルオロ界面活性剤及び炭化水素界面活性剤を含有する。インクは、荷電染料、並びに、本明細書では第二フルオロ界面活性剤パッケージと呼ぶ、少なくとも１つの界面活性剤を含む。好ましくは、第二フルオロ界面活性剤パッケージは、フルオロ界面活性剤及び２つ以上の炭化水素界面活性剤を含有する。好ましくは、第一及び第二フルオロ界面活性剤パッケージは、異なったフルオロ界面活性剤並びに炭化水素界面活性剤を含有する。当該インクは、第二フルオロ界面活性剤パッケージを欠くインクと比較して、より良いパドリング特性、濁り特性、及びにじみ特性を示す。加えて、当該定着液及び当該インクをオフセット媒体上に印刷することで、より良いエッジ先鋭度及び高分解能を達成できる。
【００１８】
パドリング、濁り、にじみ、エッジ先鋭度、及び分解能のこれらの改善は、定着液又はインクの１方のみが、それぞれ第一界面活性剤パッケージ又は第二界面活性剤パッケージを含有しているインクジェット印刷システムにおいても又、達成される。換言すれば、これらの改善は、定着液が第一界面活性剤パッケージを含有しているか、あるいはインクが第二界面活性剤パッケージを含有しているか、のいずれかの場合に達成される。
【００１９】
定着液中及びインク中の成分の量は、インク組成物全重量の重量パーセント（「ｗｔ％」）又はグラムで表す。全成分の純度は、インクジェットインクについて、通常、商用に供される純度である。
【００２０】
本明細書に記載される定着液及びインクを含むインクジェット印刷システムは、オフセット印刷により印刷される画像の印刷品質並びに耐久性を改善するために利用することができる。当該インクジェット印刷システムは、オフセット媒体上に印刷するために使用することができる。定着液がオフセット媒体上における濁り及びにじみを制御するため、インク調合物は、これらの問題を解決するという抑制から解放される。
【００２１】
定着液
定着液は、定着剤ポリマーと第一フルオロ界面活性剤パッケージを含有する水性の、透明な液体を用いることができる。第一フルオロ界面活性剤パッケージは、少なくとも１つの界面活性剤を含む。定着液には、該定着液の所望する特性に応じて、任意に、共溶媒、湿潤剤、ｐＨ調節剤、酸化防止剤、及び抗菌剤のような、当分野で周知の成分を含有させることができる。共溶媒には、限定はしないが、脂肪族アルコール、芳香族アルコール、ジオール、グリコールエーテル、ポリ（グリコール）エーテル、環状アミド、カプロラクタム、ホルムアミド、アセトアミド、及び長鎖アルコールが含まれる。本発明の実施に際して用いられる共溶媒の例には、限定はしないが、炭素数３０以下の第一アルコール、炭素数３０以下の第一芳香族アルコール、炭素数３０以下の第二脂肪族アルコール、炭素数３０以下の１，３−アルキルジオール、炭素数３０以下のアルキルトリオール、炭素数３０以下の１，□−アルコール、エチレングリコールアルキルエーテル、プロピレングリコールアルキルエーテル、ポリ（エチレングリコール）アルキルエーテル、ポリ（エチレングリコール）アルキルエーテルの比較的高次の同族体、ポリ（プロピレングリコール）アルキルエーテル、ポリ（プロピレングリコール）アルキルエーテルの比較的高次の同族体、Ｎ−アルキルカプロラクタム、未置換カプロラクタム、置換ホルムアミド、未置換ホルムアミド、置換アセトアミド、及び未置換アセトアミドがある。例えば、本発明には、共溶媒として、２−ピロリジノン、１，２−ヘキサンジオール、Ｎ−メチルピロリドン、１，５−ペンタンジオール、ジエチレングリコール、１，３−（２−メチル）−プロパンジオール、１，３，５−（２−メチル）−ペンタントリオール、テトラメチレンスルホン、３−メトキシ−３−メチルブタノール、グリセロール、３−ピリジルカルビノール、ペンタエリトリトール、１，２−アルキルジオール、あるいはそれらの混合物、を用いることができる。
【００２２】
定着剤ポリマーには、インク中の反対に荷電している染料と結合する荷電ポリマーを用いることができる。好ましくは、定着剤ポリマーは陽イオン性であり、一方、染料は陰イオン性である。定着剤ポリマーには、ポリアミンのような、陽イオン性ポリマーを用いることができる。陽イオン性定着剤ポリマーは、限定はしないが、ポリエチレンイミン（「ＰＥＩ」）、ポリアリルアミン、ポリビニルピロリドン、ヘキサメチレングアニド（「ＨＭＧ」）のポリマー、ヘキサメチレンビグアニド（「ＨＭＢ」）のポリマー、あるいはポリ（ヘキサメチレンビグアニド）（「ＰＨＭＢ」）を含むことができる。好ましくは、定着剤ポリマーは、ＰＥＩ、ＰＨＭＢであるか、又はＨＭＢとＨＭＧのコポリマーである。ＰＨＭＢは、アビシア社（英国マンチェスター）から入手可能である。定着剤ポリマーは、約０．２〜１０ｗｔ％の範囲で存在することができる。好ましくは、定着剤ポリマーは、約０．５〜７ｗｔ％の範囲で存在する。最も好ましくは、定着剤ポリマーは、約１〜４ｗｔ％の範囲で存在する。
【００２３】
定着液には、定着剤ポリマーを四級塩化した形態に変換できる有機酸あるいは無機酸を含有させることができる。好ましくは、有機酸は、クエン酸、コハク酸、リン酸、あるいは酢酸であり、無機酸は塩酸である。有機酸は、インク組成物全重量の約０．０５〜８ｗｔ％で存在することができる。有機酸あるいは無機酸は、定着剤ポリマーの対イオンとすることができる。好ましくは、対イオンは、酢酸塩、クエン酸塩、コハク酸塩、リン酸塩、塩化物、あるいは硝酸塩である。定着液は、有機及び無機の両方の酸を含むこともできる。
【００２４】
第一フルオロ界面活性剤パッケージは、フルオロ界面活性剤、炭化水素界面活性剤のような少なくとも１つの界面活性剤、フルオロ界面活性剤の混合物、炭化水素界面活性剤の混合物、あるいは、少なくとも１つのフルオロ界面活性剤及び少なくとも１つの炭化水素界面活性剤の混合物を含むことができる。２つ以上の界面活性剤が存在する場合、定着液中に存在する第一フルオロ界面活性剤パッケージの全重量は、フルオロ界面活性剤と炭化水素界面活性剤の総量である。第一フルオロ界面活性剤パッケージの全重量は、インク組成物全重量の約０．０６〜４ｗｔ％とすることができる。好ましくは、第一フルオロ界面活性剤パッケージの全重量は、約１ｗｔ％である。フルオロ界面活性剤は、約０．０１〜１．５ｗｔ％で存在させることができ、炭化水素界面活性剤は約０．０５〜２．５ｗｔ％で存在させることができる。好ましくは、フルオロ界面活性剤は約０．２ｗｔ％で存在し、炭化水素界面活性剤は約０．４〜１．５ｗｔ％で存在する。以下に記載の実施例では、第一フルオロ界面活性剤パッケージに１つのフルオロ界面活性剤及び１つの炭化水素界面活性剤を用いることが示されているが、２つ以上のフルオロ界面活性剤及び／又は２つ以上の炭化水素界面活性剤を、本発明の範囲内で用いることも予測され得る。
【００２５】
定着剤ポリマー及び第一フルオロ界面活性剤パッケージが同一の電荷を有するか、又は第一フルオロ界面活性剤パッケージが中性電荷（非イオン性）を有するようにすることができる。定着剤ポリマーは、（インク中の染料が、好ましくは、陰イオン性である故）、好ましくは、陽イオン性であるので、第一フルオロ界面活性剤パッケージは、陽イオン性あるいは非イオン性である。１つの界面活性剤を第一フルオロ界面活性剤パッケージに使用する場合、その界面活性剤には、陽イオン性あるいは非イオン性のものを用いることができる。加えて、２つ以上の界面活性剤を第一フルオロ界面活性剤パッケージに用いることもできる。例えば、定着液に慣習的に用いられる溶媒中で不溶性である界面活性剤の溶解度を高めるために、付加的な界面活性剤を用いることができる。２つ以上の界面活性剤が用いられる場合、その界面活性剤の各々には、陽イオン性あるいは非イオン性のものを用いることができる。また、界面活性剤の溶解度は、溶媒を変更することで高め得ることも考えられるが、溶解度を高めるためには付加的な界面活性剤を用いることが望ましい。
【００２６】
２つ以上の界面活性剤が第一フルオロ界面活性剤パッケージに用いられるとき、その界面活性剤の１つはフルオロ界面活性剤とすることができ、一方、他の界面活性剤は炭化水素界面活性剤とすることができる。この場合、フルオロ界面活性剤あるいは炭化水素界面活性剤のいずれかに、陽イオン性又は非イオン性のものを用いることができる。例えば、定着液中の定着剤ポリマーが陽イオン性であり且つフルオロ界面活性剤が陽イオン性であるなら、炭化水素界面活性剤は、陽イオン性又は非イオン性である。定着剤ポリマーが陽イオン性であり且つフルオロ界面活性剤が非イオン性であるなら、炭化水素界面活性剤には、陽イオン性又は非イオン性のものを用いることができる。好ましくは、フルオロ界面活性剤は陽イオン性又は非イオン性であり、炭化水素界面活性剤は非イオン性である。
【００２７】
第一フルオロ界面活性剤パッケージに用いることができる陽イオン性及び非イオン性のフルオロ界面活性剤には、限定はしないが、ＺＯＮＹＬ（登録商標）フルオロポリマーシリーズの中の陽イオン性及び非イオン性フルオロポリマーが含まれる。ＺＯＮＹＬ（登録商標）フルオロポリマーシリーズは、デュポン社（米国デラウェア州ウィルミントン）から入手でき、ポリテトラフルオロエチレン（「ＰＴＦＥ」）が含まれる。しかしながら、当分野で周知の他の陽イオン性及び非イオン性フルオロ界面活性剤も又、使用することができる。
【００２８】
ＺＯＮＹＬ（登録商標）フルオロポリマーシリーズにおいては、ＺＯＮＹＬ（登録商標）ＦＳＯ、ＺＯＮＹＬ（登録商標）ＦＳＮ、及びＺＯＮＹＬ（登録商標）ＦＳ−３００が、本発明に用いることができる適例の非イオン性フルオロ界面活性剤であり、ＺＯＮＹＬ（登録商標）ＦＳＤが、本発明に用いることができる適例の陽イオン性フルオロ界面活性剤である。ＺＯＮＹＬ（登録商標）ＦＳＯは、構造ＲｆＣＨ２ＣＨ２Ｏ（ＣＨ２ＣＨ２Ｏ）ｘＨを有するエトキシ化非イオン性フルオロ界面活性剤であり、ここで、ＲｆはＦ（ＣＦ２ＣＦ２）ｙ、ｘは０〜約１５、ｙは１〜約７である。ＺＯＮＹＬ（登録商標）ＦＳＯは、５０％固形物として供給される。ＺＯＮＹＬ（登録商標）ＦＳＮは、構造ＲｆＣＨ２ＣＨ２Ｏ（ＣＨ２ＣＨ２Ｏ）ＹＨを有する水溶性のエトキシ化非イオン性フルオロ界面活性剤であり、ここで、ＲｆはＦ（ＣＦ２ＣＦ２）ｙ、Ｙは０〜約２５、ｙは１〜約９である。ＺＯＮＹＬ（登録商標）ＦＳＮは、４０％固形物として供給される。ＺＯＮＹＬ（登録商標）ＦＳ−３００は、構造ＲｆＣＨ２ＣＨ２Ｏ（ＣＨ２ＣＨ２Ｏ）ｚＨを有する非イオン性フルオロ界面活性剤である。ここで、Ｘ＜Ｙ＜Ｚである。ＺＯＮＹＬ（登録商標）ＦＳ−３００は、５０％固形物として供給される。ＺＯＮＹＬ（登録商標）ＦＳＤは、陽イオン性フルオロ界面活性剤であり、構造Ｆ（ＣＦ２ＣＦ２）１−７−アルキル−Ｎ＋Ｒ３Ｃｌ−を有する。ＺＯＮＹＬ（登録商標）ＦＳＤは、３０％の固体を含んだ状態で供給される。好ましくは、定着液に使用されるフルオロ界面活性剤は、ＺＯＮＹＬ（登録商標）ＦＳＮである。
【００２９】
第一フルオロ界面活性剤パッケージに用いられる炭化水素界面活性剤には、陽イオン性あるいは非イオン性界面活性剤を使用することができる。好ましくは、炭化水素界面活性剤は非イオン性である。炭化水素界面活性剤には、バスフ カナダ社（加国オンタリオ州トロント）から入手可能なＴＥＴＲＯＮＩＣ（登録商標）シリーズ、ユニオンカーバイド社（米国テキサス州ヒューストン）から入手可能なＴＥＲＧＩＴＯＬ（登録商標）シリーズ、アイシーアイ アメリカズ社（米国デラウェア州ウィルミントン）から入手可能なＢＲＩＪ（登録商標）シリーズ、エアプロダクツ社（米国ペンシルバニア州アレンタウン）から入手可能なＳＵＲＦＹＮＯＬ（登録商標）シリーズ、あるいはローム アンド ハース社（米国ペンシルバニア州フィラデルフィア）から入手可能なＴＲＩＴＯＮ（登録商標）シリーズ、の非イオン性炭化水素界面活性剤が含まれる。ＴＥＴＲＯＮＩＣ（登録商標）界面活性剤は、プロピレンオキシド、エチレンオキシド、及びエチレンジアミンの四官能性ブロックコポリマーである。ＴＥＲＧＩＴＯＬ（登録商標）界面活性剤は、アルキルポリエチレンオキシドである。ＢＲＩＪ（登録商標）界面活性剤は、ポリエトキシ化アルコール類及びエステル類である。ＳＵＲＦＹＮＯＬ（登録商標）界面活性剤は、アセチレン系ポリエチレンオキシドである。ＴＲＩＴＯＮ（登録商標）界面活性剤は、アルキルフェニルポリエチレンオキシドである。
【００３０】
ＴＥＴＲＯＮＩＣ（登録商標）７０１、ＴＥＲＧＩＴＯＬ（登録商標）１５−Ｓ−５、ＴＥＲＧＩＴＯＬ（登録商標）１５−Ｓ−７、ＢＲＩＪ（登録商標）３０、ＴＲＩＴＯＮ（登録商標）Ｘ−４５、あるいはＳＵＲＦＹＮＯＬ（登録商標）４４０が、第一フルオロ界面活性剤パッケージにおける炭化水素界面活性剤として使用することができる。好ましくは、構造ＣＨ３（ＣＨ２）１０ＣＨ２（ＯＣＨ２ＣＨ２）４ＯＨ及び化学名ポリオキシエチレンラウリルエーテルを有する、ＢＲＩＪ（登録商標）３０を炭化水素界面活性剤として用いる。
【００３１】
定着液は、定着剤ポリマー、フルオロ界面活性剤、炭化水素界面活性剤、及び当分野で既知の他の定着液成分を、直接混合することによって作製できる。定着液のｐＨは、定着液成分の溶解度を高めるように調節することができる。
【００３２】
インク
当該インクは、荷電染料と第二フルオロ界面活性剤パッケージを含有することができる。該荷電染料は、定着液中の定着剤ポリマーの電荷とは反対の電荷を有することができる。荷電染料には、インクジェットインクに通常使用されている、酸性（Ａｃｉｄ）染料、直接（Ｄｉｒｅｃｔ）染料、食用（Ｆｏｏｄ）染料、媒染（Ｍｏｒｄａｎｔ）染料、及び反応性（Ｒｅａｃｔｉｖｅ）染料を含むことができる。好ましくは、荷電染料は陰イオン性であり、該染料の電荷は、ニトロソ、ニトロ、アゾ、スチルベン、トリアリールメタン、キサンテン、キノリン、チアゾール、アジン、オキサジン、チアジン、アミノケトン、アントラキノン、インジゴ、あるいはフタロシアニン化合物によってもたらすことができる。荷電染料には、限定はしないが、Ｃ．Ｉ．Ｆｏｏｄ  Ｂｌａｃｋ  ２、Ｃ．Ｉ．Ｄｉｒｅｃｔ  Ｂｌａｃｋ  １６８、及びＣ．Ｉ．Ｄｉｒｅｃｔ  Ｂｌａｃｋ  ２２、Ｃ．Ｉ．Ａｃｉｄ  Ｒｅｄ  １８、Ｃ．Ｉ．Ａｃｉｄ  Ｒｅｄ  ２７、Ｃ．Ｉ．Ａｃｉｄ  Ｒｅｄ  ５２、Ｃ．Ｉ．Ａｃｉｄ  Ｒｅｄ  ２８９、Ｃ．Ｉ．Ａｃｉｄ  Ｙｅｌｌｏｗ  ２３、及びＣ．Ｉ．Ｄｉｒｅｃｔ  Ｂｌｕｅ  １９９、Ｃ．Ｉ．Ａｃｉｄ  Ｂｌｕｅ  ９、Ｄｉｒｅｃｔ  Ｂｌｕｅ  １６９、Ｄｉｒｅｃｔ  Ｒｅｄ  ９、Ｄｉｒｅｃｔ  Ｒｅｄ  ２２７、Ｄｉｒｅｃｔ  Ｙｅｌｌｏｗ  ８６、Ｄｉｒｅｃｔ  Ｂｌｕｅ  ８６、Ａｃｉｄ  Ｂｌｕｅ  １８５、及びそれらのＮａ＋、Ｌｉ＋、Ｃｓ＋のような一価のアルカリイオン、及びそれらのＮＨ４＋塩、テトラメチルアンモニウム塩、及び置換アンモニウム塩を含むことができる。
【００３３】
荷電染料は、印刷されたインクの所望の色強度を付与できるのに十分な量で存在することができる。荷電染料は、約０．１〜１５ｗｔ％の、好ましくは、約０．５〜約１０ｗｔ％の範囲で存在することができる。陰イオン性染料の量は、本発明には重要でなく、それ故、所望のカラー強度に応じて、変化させることができる。当該インクは、また、所望するインク特性に応じて、共溶媒、湿潤剤、ｐＨ調節剤、酸化防止剤、および抗菌剤のような、当分野で周知の成分を含有することができる。当分野で知られているように、印刷品質、処理量、耐久性、及びペン信頼性に合わせて当該インクを最適化することができる。
【００３４】
第二フルオロ界面活性剤パッケージは、フルオロ界面活性剤、炭化水素界面活性剤である少なくとも１つの界面活性剤、フルオロ界面活性剤の混合物、炭化水素界面活性剤の混合物、あるいは少なくとも１つのフルオロ界面活性剤と少なくとも１つの炭化水素界面活性剤の混合物を含有することができる。好ましくは、第二フルオロ界面活性剤パッケージは、フルオロ界面活性剤と１つ又は２つの炭化水素界面活性剤とを含有する。インク中に存在する第二フルオロ界面活性剤パッケージの全重量は、インク組成物全重量の約０．０６−４ｗｔ％とすることができる。２つ以上の界面活性剤が存在する場合は、第二フルオロ界面活性剤パッケージの全重量は、フルオロ界面活性剤と炭化水素界面活性剤の総量である。好ましくは、第二フルオロ界面活性剤パッケージの全重量は、約２．２ｗｔ％である。フルオロ界面活性剤は約０．０６〜２ｗｔ％存在させることができ、炭化水素界面活性剤（単数及び複数）の重量は、約０．０５〜２．５ｗｔ％とすることができる。好ましくは、フルオロ界面活性剤は、約０．２ｗｔ％で存在させることができ、炭化水素界面活性剤（単数及び複数）は約０．４〜１．５ｗｔ％で存在させることができる。以下に記載の実施例では、インク中に１つのフルオロ界面活性剤と２つの炭化水素界面活性剤を用いることが示されているが、２つ以上のフルオロ界面活性剤と３つ以上の炭化水素界面活性剤を用いることも予測され得る。
【００３５】
第二フルオロ界面活性剤パッケージは、染料の電荷と同一の電荷を有するか、又は中性とすることができる。染料が、好ましくは、陰イオン性である場合、第二フルオロ界面活性剤パッケージは、好ましくは、陰イオン性又は非イオン性である。１つの界面活性剤を第二フルオロ界面活性剤パッケージに使用する場合、その界面活性剤には、陰イオン性又は非イオン性のものを用いることができる。例えば、フルオロ界面活性剤を第二フルオロ界面活性剤パッケージに用いる場合、該フルオロ界面活性剤には、陰イオン性又は非イオン性のものを用いることができる。第二フルオロ界面活性剤パッケージは又、２つ以上の界面活性剤を含むこともできる。例えば、フルオロ界面活性剤が、インクに慣習的に用いられる溶媒中で不溶性であるなら、該フルオロ界面活性剤の溶解度を高めるために少なくとも１つの炭化水素界面活性剤を付加する必要がある場合もある。フルオロ界面活性剤の溶解度は、溶媒を変更することで高め得ることも考えられるが、溶解度を高めるためには炭化水素界面活性剤（単数及び複数）を付加するのが望ましい。
【００３６】
２つ以上の界面活性剤が第二フルオロ界面活性剤パッケージに用いられるとき、その界面活性剤には、１つのフルオロ界面活性剤と少なくとも１つの炭化水素界面活性剤を用いることができる。この場合、フルオロ界面活性剤あるいは炭化水素界面活性剤のいずれかに、陰イオン性又は非イオン性のものを用いることができる。例えば、荷電染料が陰イオン性であり且つフルオロ界面活性剤が陰イオン性であるなら、炭化水素界面活性剤は、陰イオン性又は非イオン性である。荷電染料が陰イオン性であり且つフルオロ界面活性剤が非イオン性であるなら、炭化水素界面活性剤には、陰イオン性又は非イオン性のものを用いることができる。好ましくは、フルオロ界面活性剤は陰イオン性であり、炭化水素界面活性剤は、非イオン性である。
【００３７】
第一及び第二フルオロ界面活性剤パッケージは、同じフルオロ界面活性剤（単数及び複数）及び炭化水素界面活性剤（単数及び複数）とすることも、異なったフルオロ界面活性剤（単数及び複数）及び炭化水素界面活性剤（単数及び複数）とすることもできる。好ましくは、第一及び第二フルオロ界面活性剤パッケージは、異なったフルオロ界面活性剤（単数及び複数）及び炭化水素界面活性剤（単数及び複数）を含有する。
【００３８】
フルオロ界面活性剤が第二フルオロ界面活性剤パッケージに用いられる場合、該フルオロ界面活性剤は、陰イオン性又は非イオン性のフルオロ界面活性剤とすることができる。フルオロ界面活性剤には、ＺＯＮＹＬ（登録商標）フルオロポリマーシリーズの中の陰イオン性あるいは非イオン性フルオロポリマーを用いることができる。例えば、ＺＯＮＹＬ（登録商標）ＦＳＡ、ＺＯＮＹＬ（登録商標）ＦＳＰ、ＺＯＮＹＬ（登録商標）９３６１、ＺＯＮＹＬ（登録商標）ＦＳＥ、ＺＯＮＹＬ（登録商標）ＦＳＪ、ＺＯＮＹＬ（登録商標）ＴＢＳ、あるいは、ＺＯＮＹＬ（登録商標）ＦＳ−６２を陰イオン性フルオロ界面活性剤として用いることができる。ＺＯＮＹＬ（登録商標）ＦＳＡは、構造ＲｆＣＨ２ＣＨ２ＳＣＨ２ＣＨ２ＣＯＯ−Ｌｉ＋を有しており、ここでＲｆはＣＦ３ＣＦ２（ＣＦ２ＣＦ２）ｘ、ｘは２〜４である。ＺＯＮＹＬ（登録商標）ＦＳＡは、２５％固形物として供給される。好ましくは、陰イオン性フルオロ界面活性剤は、ＺＯＮＹＬ（登録商標）ＦＳＡである、しかしながら、当分野で周知の他の陰イオン性あるいは非イオン性のフルオロ界面活性剤も又、用いることもできる。
【００３９】
少なくとも１つの炭化水素界面活性剤が第二フルオロ界面活性剤パッケージに用いられる場合、該炭化水素界面活性剤には、陰イオン性又は非イオン性のものを用いることができる。炭化水素界面活性剤には、先に論じた、ＴＥＴＲＯＮＩＣ（登録商標）、ＴＥＲＧＩＴＯＬ（登録商標）、ＢＲＩＪ（登録商標）、ＳＵＲＦＹＮＯＬ（登録商標）、あるいはＴＲＩＴＯＮ（登録商標）界面活性剤シリーズの中の、陰イオン性又は非イオン性炭化水素界面活性剤を用いることができる。炭化水素界面活性剤には又、オクタノール、キシレンスルホン酸ナトリウム（「ＳＸＳ」）、ＤＯＷＦＡＸ（登録商標）シリーズの界面活性剤の中の陰イオン性界面活性剤（ダウ ケミカル社（米国ミシガン州ミッドランド）から入手可能）、ＡＥＲＯＳＯＬ（登録商標）シリーズの界面活性剤の中の陰イオン性又は非イオン性界面活性剤（シェル ケミカル ＬＰ社（米国テキサス州ヒューストン）から入手可能）を用いることができる。
【００４０】
ＤＯＷＦＡＸ（登録商標）界面活性剤シリーズは、アルキル化ジフェニルオキシドジスルホン酸塩であり、多数の陰イオン性化合物が含まれる。ＡＥＲＯＳＯＬ（登録商標）界面活性剤シリーズの中の陰イオン性又は非イオン性界面活性剤には、限定はしないが、スルホコハク酸塩化合物が含まれる。ＮＥＯＤＯＬ（登録商標）シリーズの中の陰イオン性又は非イオン性界面活性剤には、限定はしないが、高純度、高直線性の第一アルコール類が含まれる。これらの第一アルコールには、典型的に、７５〜８５ｗｔ％のノルマルアルコールが含まれる。
【００４１】
炭化水素界面活性剤には、限定はしないが、オクタノール、ＳＸＳ、ＴＥＴＲＯＮＩＣ（登録商標）３０４、ＴＥＴＲＯＮＩＣ（登録商標）７０１、ＴＥＲＧＩＴＯＬ（登録商標）１５−Ｓ−５、ＴＥＲＧＩＴＯＬ（登録商標）１５−Ｓ−７、ＢＲＩＪ（登録商標）３０、ＴＲＩＴＯＮ（登録商標）Ｘ−４５、ＴＲＩＴＯＮ（登録商標）Ｘ−２００、ＡＥＲＯＳＯＬ（登録商標）ＯＴ、ＳＵＲＦＹＮＯＬ（登録商標）４４０、ＳＵＲＦＹＮＯＬ（登録商標）ＣＴ−１１１、ＳＵＲＦＹＮＯＬ（登録商標）ＳＥＦ、ＤＯＷＦＡＸ（登録商標）２Ａ１、ＤＯＷＦＡＸ（登録商標）８３９０、ＮＥＯＤＯＬ（登録商標）１−９、ＮＥＯＤＯＬ（登録商標）９１−６、及びＮＥＯＤＯＬ（登録商標）４５−７が含まれる。好ましくは、炭化水素界面活性剤は、ＡＥＲＯＳＯＬ（登録商標）ＯＴとＴＲＩＴＯＮ（登録商標）Ｘ−４５の混合物である。ＡＥＲＯＳＯＬ（登録商標）ＯＴは化学構造Ｃ２０Ｈ３７Ｏ７ＮａＳを有するジオクチルスルホコハク酸ナトリウムであり、ＴＲＩＴＯＮ（登録商標）Ｘ−４５は、オクトキシノール−５である。
【００４２】
当該インクは、荷電染料、フルオロ界面活性剤、少なくとも１つの炭化水素界面活性剤、及び当分野で既知の他のインク成分を、直接混合することによって作製できる。定着液及びインクの第一及び第二フルオロ界面活性剤パッケージは、パドリングを制御し、それによって、インク調合物及びペンの構成設計の自由度が広がる。例えば、パドリングに寄与することが知られていたが、その他の望ましい特性も示した溶媒及び定着剤ポリマーを、定着液用として、再考慮することができる。先に論じたように、インク中の染料の電荷は、定着液中の定着剤ポリマーの電荷とは反対の電荷である。例えば、染料が陰イオン性であるなら、定着剤ポリマーは陽イオン性である。逆に、染料が陽イオン性なら、定着剤ポリマーは陰イオン性である。好ましくは、当該染料は陰イオン性であり、一方、定着剤ポリマーは陽イオン性である。優れた理論に拘束されることなく、インクと定着液がオフセット媒体上に付着すると、陽イオン性の定着剤ポリマーが陰イオン性の染料と結合し、それによって、染料はオフセット媒体へ固定化されると考えられている。
【００４３】
定着液とインクをオフセット媒体へ適用することによって、オフセット印刷の印刷品質並びに耐久性を改善することができる。定着液は、在来のインクジェットプリンタを使ってオフセット媒体上へ付着させることができる。定着液を収容するために、インクジェットプリンタは、カラーあるいはブラックインクを印刷するのに使用される在来のインクジェットペンに類似した、定着剤ペンと呼ばれる、付加的インクジェットペンを具備するよう改良することができる。該改良は、当分野で周知であり、従って、ここでは詳述しない。定着液をインクに対して下刷りするか又は上刷りすることができる。好ましくは、定着液を上刷りする。また、定着液とインクをほぼ同時に付着させるか又は定着液とインクの各々の多重層を付着させ得ることも考えられる。インクは、在来のインクジェットペンを用いてオフセット媒体上へ付着させることができる。
【００４４】
オフセット媒体は、該媒体表面上に非多孔質のコーティングを有する。オフセット媒体には、限定はしないが、ＬＵＳＴＲＯ（商標）Ｌａｓｅｒ光沢紙（Ｓ．Ｄ．ウォーレン社から入手可能）、ＫＲＯＭＣＯＴＥ（商標）（チャンピオン ペーパー社から入手可能）、ＵＴＯＰＩＡ（商標）Ｄｕｌｌ（アップルトン ペーパー社から入手可能）、ＣＡＲＯＬＩＮＡ（商標）Ｃｏｖｅｒ、ハンマーミル社の媒体、及びカスケード社の媒体が含まれる。
【００４５】
種々のフルオロ界面活性剤、染料及び／又はポリマーを含んでいるインク及び定着液を調合し、調合したインク及び定着液の種々の特性、例えばパドリング、乾燥時間、領域充填均一性、光学濃度、耐水性、曇点、デキャップ、バンディング（画像のハーフトーン部に出現する帯状の濃度ムラ）、濁り、にじみ、エッジ先鋭度などの測定を試みた。さらに、定着液を、インクに対して上刷り又は下刷りするときの画像の領域充填均一性に関して、調合したインク及び定着液を比較評価した。
【実施例１】
【００４６】
第一フルオロ界面活性剤パッケージ及びＰＨＭＢを含む定着液
【００４７】
該定着液の成分を表１に示す。
【表１】
2004181955.tif 000002
【００４８】
表１に記載した種々の調合定着液間の唯一の違いは、第一フルオロ界面活性剤パッケージに使用する界面活性剤である。第一フルオロ界面活性剤パッケージは、フルオロ界面活性剤と炭化水素界面活性剤を含有する。フルオロ界面活性剤として、ＺＯＮＹＬ（登録商標）ＦＳＯ、ＺＯＮＹＬ（登録商標）ＦＳＮ、ＺＯＮＹＬ（登録商標）ＦＳ−３００、ＺＯＮＹＬ（登録商標）ＦＳＤを使用し、一方、炭化水素界面活性剤として、ＴＥＴＲＯＮＩＣ（登録商標）７０１、ＴＥＲＧＩＴＯＬ（登録商標）１５−Ｓ−５、ＴＥＲＧＩＴＯＬ（登録商標）１５−Ｓ−７、ＢＲＩＪ（登録商標）３０、ＴＲＩＴＯＮ（登録商標）Ｘ−４５、あるいはＳＵＲＦＹＮＯＬ（登録商標）４４０を用いた。第一フルオロ界面活性剤パッケージは約１ｗｔ％で存在しており、約０．３〜０．８ｗｔ％のフルオロ界面活性剤、約０．３〜０．６ｗｔ％の炭化水素界面活性剤が含まれている。調合したフルオロ界面活性剤及び炭化水素界面活性剤の組合せを、各成分の量及び識別番号ＦＸ−１〜ＦＸ−２４と共に、表２に示す。対照用として、界面活性剤を含まない定着液（ＦＸ−２６）、定着剤ポリマーとしてＰＨＭＢ、界面活性剤としてＳＩＬＷＥＴ（登録商標）Ｌ７６０７を含む定着液（ＦＸ−２５）、及び定着剤ポリマーとしてＰＥＩ（２０％）、界面活性剤としてＳＩＬＷＥＴ（登録商標）Ｌ７６０７を含む定着液（ＦＸ−０）も又、作製した。
【００４９】
【表２】
2004181955.tif 000003
【００５０】
表１及び２に列挙した成分を直接混合して各定着液を作製した。
【実施例２】
【００５１】
第一フルオロ界面活性剤パッケージ及び追加の定着剤ポリマーを含む定着液
定着剤ポリマーとして追加の陽イオン性ポリアミンを含む定着液を作製する。これらの定着液は、定着剤ポリマーをＰＨＭＢからＰＥＩあるいはＨＭＢとＨＭＧのコポリマーに変更する以外は、表１に挙げた成分を含有している。
【実施例３】
【００５２】
第二フルオロ界面活性剤パッケージ及び陰イオン性染料を含むインク
インク成分を表３に示す。該インクは又、約０．５〜１０ｗｔ％で存在する陰イオン性染料も含有する。
【００５３】
【表３】
2004181955.tif 000004
【００５４】
当該インクは、界面活性剤と少なくとも１つの炭化水素界面活性剤を含む、第二フルオロ界面活性パッケージを含有している。これらのインクは、炭化水素界面活性剤の混合物を含むインクを用いて調合した。表３に記載する種々の調合インク間の唯一の違いは、用いた界面活性剤の混合物である。特に、ＺＯＮＹＬ（登録商標）ＦＳＡ、陰イオン性界面活性剤、は、オクタノール、ＳＸＳ、ＴＥＴＲＯＮＩＣ（登録商標）３０４、ＴＥＴＲＯＮＩＣ（登録商標）７０１、ＴＥＲＧＩＴＯＬ（登録商標）１５−Ｓ−５、ＴＥＲＧＩＴＯＬ（登録商標）１５−Ｓ−７、ＢＲＩＪ（登録商標）３０、ＴＲＩＴＯＮ（登録商標）Ｘ−４５、ＴＲＩＴＯＮ（登録商標）Ｘ−２００、ＡＥＲＯＳＯＬ（登録商標）ＯＴ、ＳＵＲＦＹＮＯＬ（登録商標）４４０、ＳＵＲＦＹＮＯＬ（登録商標）ＣＴ−１１１、ＳＵＲＦＹＮＯＬ（登録商標）ＳＥＦ、ＤＯＷＦＡＸ（登録商標）２Ａ１、ＤＯＷＦＡＸ（登録商標）８３９０、ＮＥＯＤＯＬ（登録商標）１−９、ＮＥＯＤＯＬ（登録商標）９１−６、及びＮＥＯＤＯＬ（登録商標）４５−７を含む種々の炭化水素界面活性剤を使って試験した。加えて、炭化水素界面活性剤の混合物を、フルオロ界面活性剤を用いずに試験した。調合したフルオロ界面活性剤と炭化水素界面活性剤の混合物を、第一列の識別番号（ＳＵ１〜ＳＵ１９）を付して、表４に示す。各インクに使用したフルオロ界面活性剤及び炭化水素界面活性剤の量も又、表４に示す。対照用として、１％ＳＩＬＷＥＴ  Ｌ７６０７を含むインク（ＳＵ１）、界面活性剤を含まないインク（ＳＵ２）、１つの界面活性剤を含むインク（ＳＵ３）を作製した。残りのインク（ＳＵ４〜ＳＵ１６及びＳＵ１９）は、フルオロ界面活性剤パッケージあるいは表４に列挙した炭化水素界面活性剤の混合物を含有している。
【００５５】
【表４−１】
2004181955.tif 000005
【表４−２】
2004181955.tif 000006
【００５６】
表３及び４に列挙した成分を直接混合して各インクを作製した。
【実施例４】
【００５７】
定着液及びインクについて実施した試験
表２に列挙した第一フルオロ界面活性剤パッケージを含む定着液と、表４に列挙した第二フルオロ界面活性剤パッケージを含むインクとを、パドリング、乾燥時間、領域充填均一性、光学濃度、耐水性、曇点、デキャップ、及び／又はバンディングについて試験した。
【００５８】
パドリングは、ヒューレット−パッカード社（米国カリフォルニア州パロアルト）製のＤｅｓｋＪｅｔ（登録商標）２２００Ｃ／２５００Ｃプリンタと同様のインクジェットプリンタで試験した。インク及び定着液は、ＤｅｓｋＪｅｔ（登録商標）２２００Ｃ／２５００Ｃプリンタに使用されるペンと同様のインクジェットペンを使って印刷した。高頻度パドリングと低頻度パドリングの両方を検討した。ペンは、印刷に先立ち、手できれいに拭き、その後３ページを印刷した。オリフィスの清浄度は、３ページ印刷後に評価した。印刷ヘッドの写真を印刷後に撮影してパドリングの量を記録した。加えて、印刷ヘッドについての視覚的所見をモニタし、記録した。
【００５９】
曇点を測定するため、各定着液あるいはインクをオーブンに入れ、各温度で１時間保持した。オーブンの温度を、毎時１０℃で、９０℃まで上げた。定着液あるいはインクの曇り度は、目視観測し記録した。
【００６０】
デキャップ時間は、ＤｅｓｋＪｅｔ（登録商標）２２００Ｃ／２５００Ｃプリンタに使用されるインクジェットペンと同様のインクジェットペン（８ｐｌ）を使って試験した。デキャップ時間は、ＤｅｓｋＪｅｔ（登録商標）２２００Ｃ／２５００Ｃプリンタと同様のインクジェットプリンタを使って２４℃、４９％相対湿度にて測定した。デキャップ時間は又、８５℃でも試験した。短期デキャップは、２１℃−５５％相対湿度環境でテストした。短期間デキャップは、加熱しない状態及び８５℃にて測定した。
【００６１】
乾燥時間は、ＤｅｓｋＪｅｔ（登録商標）２２００Ｃ／２５００Ｃプリンタに使用されるインクジェットペンと同様のインクジェットペンに入れた定着液、及び１２０ｐｌ／３００ｄｐｉ  ｐｉｘｅｌに帰着するデフォルトペンに入れたインクを使って試験した。乾燥時間は、印刷画像がインクジェットプリンタから吐出された直後に、画像領域の最上面に８枚のシートを重ねることにより試験した。二次的なカラーは、ＤｅｓｋＪｅｔ（登録商標）２２００Ｃ／２５００Ｃプリンタに使用されるインクジェットペンと同様のインクジェットペンを使って、２１℃、５５％相対湿度環境下、１２８ｐｌ濃度にて印刷した。乾燥時間は、２及び３パスの印刷モード、１２８ｐｌ／３００ｄｐｉのインク量にて、０℃、８０℃、及び８５℃の温度下で試験した。２及び３パスの印刷モードは、各パスが一部分のインクを印刷するだけである故、所望の画像を印刷するのに、１パス印刷モードより長い時間を要したが、得られる所望画像の印刷品質は向上する。
【００６２】
湿り耐久性は、ヒューレット−パッカード社製のＤｅｓｋＪｅｔ（登録商標）２０００プリンタと同様のインクジェットプリンタで画像を印刷して試験した。定着液はＫペンに、インクはＣペンに入れた。領域充填均一性は、種々のオフセット媒体にわたって印刷サンプルの均一性を目視比較して試験した。インクジェット滴の重量及び粘度に依存して、パドリングがバンディングを起こすことがある。バンディングの程度を目視評価した。
【実施例５】
【００６３】
定着液の性能結果
実施例１に記載した定着液に関するパドリング、乾燥時間、領域充填均一性、光学濃度（「ＯＤ」）、耐水性、曇点、及びデキャップの結果を表２に公表する。
【００６４】
界面活性剤としてＳＩＬＷＥＴ（登録商標）Ｌ７６０７を使用するＦＸ−０は、多量のパドリングを呈した。ＦＸ−２６、即ち界面活性剤を含まない定着液も、多量のパドリングを示した。ＺＯＮＹＬ（登録商標）ＦＳ−３００を含んでいる全ての定着液（ＦＸ−１３〜ＦＸ−１８）が、いくらかあるいは多量のパドリングを示し、それ故、ＺＯＮＹＬ（登録商標）ＦＳ−３００は、定着液におけるフルオロ界面活性剤として使用するには最適でなかった。非イオン性フルオロ界面活性剤ＺＯＮＹＬ（登録商標）ＦＳＯ（ＦＸ−１〜ＦＸ−６）及びＺＯＮＹＬ（登録商標）ＦＳＮ（ＦＸ７〜ＦＸ−１２）を含んでいる定着液は、パドリングについては清浄であるか、少ないあるいは極めて少ないパドリングを呈した。陽イオン性フルオロ界面活性剤ＺＯＮＹＬ（登録商標）ＦＳＤ（ＦＸ−１９〜ＦＸ−２４）を含んでいる定着液も、パドリングについては清浄であるか、少ないあるいは極めて少ないパドリングを呈した。
【００６５】
ＺＯＮＹＬ（登録商標）ＦＳＤを含む定着液は、その他の定着液よりも乾燥に長い時間を要した。ＺＯＮＹＬ（登録商標）ＦＳＮを含んでいる定着液は、最速の乾燥時間を示した。残りのフルオロ界面活性剤を含む定着液は、使用される特定の炭化水素界面活性剤に依存して、様々な乾燥時間を示した。
【００６６】
ＺＯＮＹＬ（登録商標）ＦＳＤを含む定着液は、おそらくインクと強く反応する陽イオン性フルオロ界面活性剤に起因して、不十分な領域充填均一性を呈した。それ故、ＺＯＮＹＬ（登録商標）ＦＳＤは、定着液におけるフルオロ界面活性剤として使用するには最適でなかった。
【００６７】
ＺＯＮＹＬ（登録商標）ＦＳＯを含む定着液は、ＺＯＮＹＬ（登録商標）ＦＳＮを含んでいる定着液と比較してより良い耐久性を示した。しかしながら、ＺＯＮＹＬ（登録商標）ＦＳＮ定着液は、ＺＯＮＹＬ（登録商標）ＦＳＯと比較してより良い領域充填均一性を示した。
【００６８】
炭化水素界面活性剤としてＴＥＴＲＯＮＩＣ（登録商標）７０１を含む定着液は、低曇点（４０℃）を示し、従って、ＴＥＴＲＯＮＩＣ（登録商標）７０１は、定着液における炭化水素界面活性剤として使用するには最適でなかった。フルオロ界面活性剤と炭化水素界面活性剤の残りの組合せは、８５℃あるいは９０℃よりも高い望ましい曇点を示した。
【００６９】
ＺＯＮＹＬ（登録商標）ＦＳＯ、ＺＯＮＹＬ（登録商標）ＦＳＮ、あるいはＺＯＮＹＬ（登録商標）ＦＳＤを含んでいる定着液は、改善されたパドリング特性を示すが、ＺＯＮＹＬ（登録商標）ＦＳＤ定着液は最適値より劣った領域充填均一性を示した。それ故、多量のパドリングを示す、ＳＩＬＷＥＴ（登録商標）Ｌ７６０７、ＺＯＮＹＬ（登録商標）ＦＳＤ及びＺＯＮＹＬ（登録商標）ＦＳ−３００の両定着液は、定着液における使用には最適でなかった。試験したその他のフルオロ界面活性剤の中では、ＺＯＮＹＬ（登録商標）ＦＳＯ定着液が改善された耐久性を示し、一方、ＺＯＮＹＬ（登録商標）ＦＳＮ定着液が改善された領域充填均一性を示した。一方、ＺＯＮＹＬ（登録商標）ＦＳＮとＢＲＩＪ（登録商標）３０の組合せ（ＦＸ−１０）は、種々の特性にわたって最高の総合性能を示した。
【実施例６】
【００７０】
定着剤ポリマーの量を低減した定着液
定着液は、定着剤の量を５％から４％に減らしたことを除けば、表１に従って作製した。これらのを定着液は、５％定着剤ポリマーで得られたものに匹敵する結果を示した。また、定着剤ポリマーの量を低減することで、デキャップ速度についても、大きな、望ましい効果が示された。特に、４％定着剤ポリマーを含む定着液は、５％定着剤ポリマーを含む定着液の９６秒に比べて、２４秒という短期デキャップを示した。
【実施例７】
【００７１】
インク性能の結果
実施例３に記載したインクについてのパドリング、曇点、デキャップ、及び乾燥時間の結果を表４に示す。インクＳＵ４、ＳＵ７、ＳＵ１１〜ＳＵ１３、及びＳＵ１９は、パドリングに関して清浄であった。ＳＵ４は、第二界面活性剤パッケージとして、ＴＥＴＲＯＮＩＣ（登録商標）７０１、ＤＯＷＦＡＸ（登録商標）２Ａ１、及びＺＯＮＹＬ（登録商標）ＦＳＡを利用した。ＳＵ７に関しては、第二界面活性剤パッケージとしてＢＲＩＪ（登録商標）３０、ＤＯＷＦＡＸ（登録商標）８３９０、及びＺＯＮＹＬ（登録商標）ＦＳＡを使用した。ＳＵ１１に関しては、第二界面活性剤パッケージとして、ＳＵＲＦＹＮＯＬ（登録商標）４４０、ＳＸＳ、及びＺＯＮＹＬ（登録商標）ＦＳＡを使用した。ＳＵ１２については、第二界面活性剤パッケージとして、ＳＵＲＦＹＮＯＬ（登録商標）ＣＴ−１１１、ＤＯＷＦＡＸ（登録商標）２Ａ１、及びＺＯＮＹＬ（登録商標）ＦＳＡを利用した。ＳＵ１３は、第二界面活性剤パッケージとして、ＳＵＲＦＹＮＯＬ（登録商標）ＳＥＦ、ＤＯＷＦＡＸ（登録商標）８３９０、及びＺＯＮＹＬ（登録商標）ＦＳＡを利用した。ＳＵ１９に関しては、第二界面活性剤パッケージとして、ＡＥＲＯＳＯＬ（登録商標）ＯＴ、ＴＲＩＴＯＮ（登録商標）Ｘ−４５、及びＺＯＮＹＬ（登録商標）ＦＳＡを利用した。これらの結果に基づき、第二界面活性剤パッケージにＺＯＮＹＬ（登録商標）ＦＳＡを使用することにより、インクのパドリングは、劇的に改善されることが明らかになった。
【００７２】
図１〜３に示すように、ＳＵ１９のシアン、マゼンタ、及びイエローインクは、ＳＵ１のシアン、マゼンタ、及びイエローインクに比べて、パドリングが顕著に減少した。図１Ａ、２Ａ、及び３Ａは、シアン、マゼンタ、及びイエローのＳＵ１インクを印刷した際の、印刷ヘッド上における多量のパドリングを示したものである。対照的に、図１Ｂ、２Ｂ、及び３Ｂに示すように、シアン、マゼンタ、及びイエローのＳＵ１９インクを印刷した際は、印刷ヘッド上におけるパドリングは起こらなかった。
【００７３】
インクの曇点を表４に示す。ＳＵ４を除く、全てのインクにおいて、９０℃までは曇りは全くなかった。ＳＵ４は、７０℃で曇りを呈した。
【００７４】
加熱しない状態及び８５℃下でのインクのデキャップ時間を表４に示す。ＳＵ８及びＳＵ１５のみが、２４秒を超えるデキャップ時間を示した。残りのほとんどのインクは、ＳＵ１９が８秒というデキャップを示したことを除けば、ほぼ０秒からほぼ４＋秒の範囲のデキャップ時間を示した。
【００７５】
表５に示すように、ＳＵ１９インクも、ＳＵ１インクに比較して、インクカラー全域で改善されたデキャップを示した。
【００７６】
【表５】
2004181955.tif 000007
【００７７】
２パス及び３パス印刷モードでのインクの乾燥時間を表４に示す。３パス印刷モードでは、ＳＵ１２以外は、ほとんどのインクが許容できる乾燥時間を示した。２パス印刷モードでは、ＳＵ４及びＳＵ１０は、ＬＵＳＴＲＯ（登録商標）Ｌａｓｅｒ及びＫＲＯＭＣＯＴＥ（登録商標）オフセット媒体上において許容できる乾燥時間を示した。ＳＵ５、ＳＵ７、ＳＵ８、ＳＵ１１、及びＳＵ１３〜ＳＵ１５は、ＫＲＯＭＣＯＴＥ（登録商標）オフセット媒体上において許容できる乾燥時間を示した。一般に、３パス印刷モードは、２パス印刷モードより短い乾燥時間を示したが、これには、３パス印刷モード時の比較的長い印刷時間が深く関与している。
【００７８】
種々の温度下、１２８ ｐｌ／３００ ｄｐｉのインク量での、２パス及び３パス印刷モードに対するＳＵ１及びＳＵ１９の乾燥時間の直接比較を表６に示す。試験温度（０℃、８０℃、及び８５℃）は、インクの性能に差異を設けるように選択した。
【００７９】
【表６】
2004181955.tif 000008
【００８０】
これらの試験条件下で、ＳＵ１及びＳＵ１９は、実質的に、同等の乾燥時間を示した。３パス印刷モードは、より長い印刷時間のため、２パス印刷モードより良好な乾燥時間を示した。
【実施例８】
【００８１】
濁り、にじみ、１パスカラーＯＤ、及びエッジ先鋭度性能及び結果
濁り及びにじみは、第一界面活性剤パッケージ、第二界面活性剤パッケージ、又は両方の界面活性剤パッケージを使用したときに排除された。加えて、カラーＯＤ及びエッジ先鋭度は、第一界面活性剤パッケージ、第二界面活性剤パッケージ、又は両方の界面活性剤パッケージを使用したときに改善された。表７に示すように、濁り及びにじみは、インク中の第二フルオロ界面活性剤がフルオロ界面活性剤と少なくとも１つの炭化水素界面活性剤とを含有するときに排除された。フルオロ界面活性剤としてＺＯＮＹＬ（登録商標）ＦＳＡを含むインクが、濁り及びにじみにおいて最高の改善を示した。
【００８２】
【表７】
2004181955.tif 000009
【００８３】
ＤｅｓｋＪｅｔ（登録商標）２２００／２５００Ｃに使用されているものと類似のインクジェットペン（７．５ｐｌ）を用いて、ＬＵＳＴＲＯ（登録商標）Ｌａｓｅｒオフセット媒体上に画像を１パス印刷した。定着液をＳＵ１及びＳＵ１９インク上に印刷した。印刷画像を比較して、カラーＯＤ及びエッジ先鋭度における差異を測定した。
【００８４】
図４Ａ〜４Ｃを比較すると、インクあるいは定着液のどちらかがフルオロ界面活性剤パッケージを含有するときに、比較的高いＯＤ及びより明確なエッジが得られることが分かる。図４Ａに、インク及び定着液のどちらもフルオロ界面活性剤パッケージを含まないときのエッジ先鋭度及びカラーＯＤを示す。図４Ｂに、第二フルオロ界面活性剤パッケージとしてＡＥＲＯＳＯＬ（登録商標）ＯＴ、ＴＲＩＴＯＮ（登録商標）Ｘ−４５、及びＺＯＮＹＬ（登録商標）ＦＳＡを含んでいるＳＵ１９インクを、ＦＸ−０定着液と共に使用するときのエッジ先鋭度及びカラーＯＤを示す。図４Ｃに、第一フルオロ界面活性剤パッケージとしてＺＯＮＹＬ（登録商標）ＦＳＮとＢＲＩＪ３０（登録商標）を含んでいるＦＸ−０定着液を、ＳＵ１インクと共に使用するときのエッジ先鋭度及びカラーＯＤを示す。
【実施例９】
【００８５】
オフセット媒体への定着液及びインクの適用
実施例１に記載した定着液を、実施例３に記載されているインクと共にオフセット媒体上に印刷する。定着液は、定着剤ペンを使ってオフセット媒体上に付着させ、一方、インクは、在来のインクジェットペンを使って付着させる。被験オフセット媒体には、ＬＵＳＴＲＯ（商標）Ｌａｓｅｒ光沢紙、ＫＲＯＭＣＯＴＥ（商標）、及びＵＴＯＰＩＡ（商標）Ｄｕｌｌが含まれる。定着液をインクに対して上刷りする。追加試験で、定着液をインクに対して下刷りする。
【実施例１０】
【００８６】
バンディング結果
ＳＵ１とＳＵ１９でバンディングを比較し、図５Ａ及び５Ｂに示した。ＳＵ１インクは、パドリングが増すにつれて高いバンディングを示し、対照的に、ＳＵ１９インクは、バンディング性能において耐久性がより高かった。
【００８７】
本発明は、様々な変更及び代替形態が可能と思われるが、特定の実施態様を図面での例を用いて示し、本明細書において詳細に説明した。しかしながら、理解すべきは、本発明は、開示された特定の形態に限定することを意図するものではないということである。むしろ、本発明は、添付した発明の範囲によって定義される発明の趣旨及び範囲内に帰属する全ての修正形態、等価形態、及び代替形態を網羅するものである。
【図面の簡単な説明】
【００８８】
【図１Ａ】第二フルオロ界面活性剤パッケージを含まないシアンインクによって示されたパドリング
【図１Ｂ】第二フルオロ界面活性剤パッケージを含むシアンインクによって示されたパドリング
【図２Ａ】第二フルオロ界面活性剤パッケージを含まないマゼンタインクによって示されたパドリング
【図２Ｂ】第二フルオロ界面活性剤パッケージを含むマゼンタインクによって示されたパドリング
【図３Ａ】第二フルオロ界面活性剤パッケージを含まないイエローインクによって示されたパドリング
【図３Ｂ】第二フルオロ界面活性剤パッケージを含むイエローインクによって示されたパドリング
【図４Ａ】第一及び第二フルオロ界面活性剤パッケージを含まないインクジェット印刷システムの光学濃度及びエッジ先鋭度
【図４Ｂ】第二フルオロ界面活性剤パッケージを含むインクジェット印刷システムの光学濃度及びエッジ先鋭度
【図４Ｃ】第一フルオロ界面活性剤パッケージを含むインクジェット印刷システムの光学濃度及びエッジ先鋭度
【図５Ａ】第二フルオロ界面活性剤パッケージを含まないインクのバンディング特性
【図５Ｂ】第二フルオロ界面活性剤パッケージを含むインクのバンディング特性
【図１Ａ】
2004181955.tif 000010
【図１Ｂ】
2004181955.tif 000011
【図２Ａ】
2004181955.tif 000012
【図２Ｂ】
2004181955.tif 000013
【図３Ａ】
2004181955.tif 000014
【図３Ｂ】
2004181955.tif 000015
【図４Ａ】
2004181955.tif 000016
【図４Ｂ】
2004181955.tif 000017
【図４Ｃ】
2004181955.tif 000018
【図５Ａ】
2004181955.tif 000019
【図５Ｂ】
2004181955.tif 000020